【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
画像を構成する光を射出する光源と、
前記画像を示す画像信号に基づいて前記光源が射出する光の強度を制御する制御手段と、
前記画像信号が示す画像の明るさに関する情報に基づいて、前記光の強度の許容上限値に対応する第１基準値を設定する設定手段と、
前記光源が射出する光の一部を受光し、当該受光した光量に対応する出力値を出力する受光手段と、
を備え、
前記制御手段は、前記出力値が前記第１基準値を超える場合に、前記光源の光の射出を停止させることを特徴とする投影装置。
【請求項２】
前記設定手段は、所定期間に対応する前記画像信号中の所定区間の明るさの積算値に基づいて前記第１基準値を設定し、
前記制御手段は、前記所定期間に前記受光手段が出力する出力値の積算値が前記第１基準値を超える場合に、前記光源の光の射出を停止させることを特徴とする請求項１に記載の投影装置。
【請求項３】
前記光源は、３原色のそれぞれの色を射出する複数の発光素子を含み、
前記設定手段は、前記画像信号が示す前記画像の３原色のそれぞれの色ごとの明るさに基づいて、前記複数の発光素子が射出する光の合成光の強度の許容上限値に対応する第１基準値を設定し、
前記受光手段は、前記光源が射出する前記合成光の一部を受光することを特徴とする請求項１又は２に記載の投影装置。
【請求項４】
画像を構成する光を射出する光源と、
前記画像を示す画像信号に基づいて前記光源が射出する光の強度を制御する制御手段と、
前記画像信号が示す画像の明るさに関する情報に基づいて、前記光の強度の許容下限値に対応する第２基準値を設定する設定手段と、
前記光源が射出する光の一部を受光し、当該受光した光量に対応する出力値を出力する受光手段と、
を備え、
前記制御手段は、前記出力値が前記第２基準値に満たない場合に、前記光源の光の射出を停止させることを特徴とする投影装置。
【請求項５】
前記設定手段は、所定期間に対応する前記画像信号中の所定区間の明るさの積算値に基づいて前記第２基準値を設定し、
前記制御手段は、前記所定期間に前記受光手段が出力する出力値の積算値が前記第２基準値に満たない場合に、前記光源の光の射出を停止させることを特徴とする請求項４に記載の投影装置。
【請求項６】
前記光源は、３原色のそれぞれの色を射出する複数の発光素子を含み、
前記設定手段は、前記画像信号が示す前記画像の３原色のそれぞれの色ごとの明るさに基づいて、前記複数の発光素子が射出する光の合成光の強度の許容下限値に対応する第２基準値を設定し、
前記受光手段は、前記光源が射出する前記合成光の一部を受光することを特徴とする請求項４又は５に記載の投影装置。
【請求項７】
画像を構成する光を射出する光源と、前記光源が射出する光の一部を受光し、当該受光した光量に対応する出力値を出力する受光手段と、を備える投影装置により実行される投影方法であって、
前記画像を示す画像信号に基づいて前記光源が射出する光の強度を制御する制御工程と、
前記画像信号が示す画像の明るさに関する情報に基づいて、前記光源が射出する光の強度の許容上限値に対応する第１基準値を設定する設定工程と、
を有し、
前記制御工程は、前記出力値が前記第１基準値を超える場合に、前記光源の光の射出を停止させることを特徴とする投影方法。
【請求項８】
画像を構成する光を射出する光源と、前記光源が射出する光の一部を受光し、当該受光した光量に対応する出力値を出力する受光手段と、を備える投影装置により実行される投影方法であって、
前記画像を示す画像信号に基づいて前記光源が射出する光の強度を制御する制御工程と、
前記画像信号が示す画像の明るさに関する情報に基づいて、前記光源が射出する光の強度の許容下限値に対応する第２基準値を設定する設定工程と、
を有し、
前記制御工程は、前記出力値が前記第２基準値に満たない場合に、前記光源の光の射出を停止させることを特徴とする投影方法。
【請求項９】
画像を構成する光を射出する光源と、前記光源が射出する光の一部を受光し、当該受光した光量に対応する出力値を出力する受光手段と、コンピュータと、を備える投影装置により実行されるプログラムであって、
前記画像を示す画像信号に基づいて前記光源が射出する光の強度を制御する制御工程、
前記画像信号が示す画像の明るさに関する情報に基づいて、前記光源が射出する光の強度の許容上限値に対応する第１基準値を設定する設定工程、
を前記コンピュータに実行させ、
前記制御工程は、前記出力値が前記第１基準値を超える場合に、前記光源の光の射出を停止させることを特徴とするプログラム。
【請求項１０】
画像を構成する光を射出する光源と、前記光源が射出する光の一部を受光し、当該受光した光量に対応する出力値を出力する受光手段と、コンピュータと、を備える投影装置により実行されるプログラムであって、
前記画像を示す画像信号に基づいて前記光源が射出する光の強度を制御する制御工程、
前記画像信号が示す画像の明るさに関する情報に基づいて、前記光源が射出する光の強度の許容下限値に対応する第２基準値を設定する設定工程、
を前記コンピュータに実行させ、
前記制御工程は、前記出力値が前記第２基準値に満たない場合に、前記光源の光の射出を停止させることを特徴とするプログラム。
【請求項１１】
請求項９又は１０に記載のプログラムを記憶した記憶媒体。
【請求項１２】
画像を構成する光を射出する光源と、
前記画像を示す画像信号に基づいて前記光源が射出する光の強度を制御する制御手段と、
前記画像信号が示す画像の明るさに関する情報に基づいて、前記光源が射出する光の強度の許容上限値に対応する第１基準値、及び、前記光源が射出する光の強度の許容下限値に対応する第２基準値を設定する設定手段と、
前記光源が射出する光の一部を受光し、当該受光した光量に対応する出力値を出力する受光手段と、
を備え、
前記制御手段は、前記出力値が、前記第１基準値を超える場合、又は、前記第２基準値に満たない場合に、前記光源の光の射出を停止させることを特徴とする投影装置。
【手続補正２】
【補正対象書類名】明細書
【補正対象項目名】０００７
【補正方法】変更
【補正の内容】
【０００７】
請求項に記載の発明は、投影装置であって、画像を構成する光を射出する光源と、前記画像を示す画像信号に基づいて前記光源が射出する光の強度を制御する制御手段と、前記画像信号が示す画像の明るさに関する情報に基づいて、前記光の強度の許容上限値に対応する第１基準値を設定する設定手段と、前記光源が射出する光の一部を受光し、当該受光した光量に対応する出力値を出力する受光手段と、を備え、前記制御手段は、前記出力値が前記第１基準値を超える場合に、前記光源の光の射出を停止させることを特徴とする。
【手続補正３】
【補正対象書類名】明細書
【補正対象項目名】０００８
【補正方法】変更
【補正の内容】
【０００８】
請求項に記載の発明は、投影装置であって、画像を構成する光を射出する光源と、前記画像を示す画像信号に基づいて前記光源が射出する光の強度を制御する制御手段と、前記画像信号が示す画像の明るさに関する情報に基づいて、前記光の強度の許容下限値に対応する第２基準値を設定する設定手段と、前記光源が射出する光の一部を受光し、当該受光した光量に対応する出力値を出力する受光手段と、を備え、前記制御手段は、前記出力値が前記第２基準値に満たない場合に、前記光源の光の射出を停止させることを特徴とする。
【手続補正４】
【補正対象書類名】明細書
【補正対象項目名】０００９
【補正方法】変更
【補正の内容】
【０００９】
請求項に記載の発明は、画像を構成する光を射出する光源と、前記光源が射出する光の一部を受光し、当該受光した光量に対応する出力値を出力する受光手段と、を備える投影装置により実行される投影方法であって、前記画像を示す画像信号に基づいて前記光源が射出する光の強度を制御する制御工程と、前記画像信号が示す画像の明るさに関する情報に基づいて、前記光源が射出する光の強度の許容上限値に対応する第１基準値を設定する設定工程と、を有し、前記制御工程は、前記出力値が前記第１基準値を超える場合に、前記光源の光の射出を停止させることを特徴とする。
【手続補正５】
【補正対象書類名】明細書
【補正対象項目名】００１０
【補正方法】変更
【補正の内容】
【００１０】
請求項に記載の発明は、画像を構成する光を射出する光源と、前記光源が射出する光の一部を受光し、当該受光した光量に対応する出力値を出力する受光手段と、を備える投影装置により実行される投影方法であって、前記画像を示す画像信号に基づいて前記光源が射出する光の強度を制御する制御工程と、前記画像信号が示す画像の明るさに関する情報に基づいて、前記光源が射出する光の強度の許容下限値に対応する第２基準値を設定する設定工程と、を有し、前記制御工程は、前記出力値が前記第２基準値に満たない場合に、前記光源の光の射出を停止させることを特徴とする。
【手続補正６】
【補正対象書類名】明細書
【補正対象項目名】００１１
【補正方法】変更
【補正の内容】
【００１１】
請求項に記載の発明は、画像を構成する光を射出する光源と、前記光源が射出する光の一部を受光し、当該受光した光量に対応する出力値を出力する受光手段と、コンピュータと、を備える投影装置により実行されるプログラムであって、前記画像を示す画像信号に基づいて前記光源が射出する光の強度を制御する制御工程、前記画像信号が示す画像の明るさに関する情報に基づいて、前記光源が射出する光の強度の許容上限値に対応する第１基準値を設定する設定工程、を前記コンピュータに実行させ、前記制御工程は、前記出力値が前記第１基準値を超える場合に、前記光源の光の射出を停止させることを特徴とする。
【手続補正７】
【補正対象書類名】明細書
【補正対象項目名】００１２
【補正方法】変更
【補正の内容】
【００１２】
請求項に記載の発明は、画像を構成する光を射出する光源と、前記光源が射出する光の一部を受光し、当該受光した光量に対応する出力値を出力する受光手段と、コンピュータと、を備える投影装置により実行されるプログラムであって、前記画像を示す画像信号に基づいて前記光源が射出する光の強度を制御する制御工程、前記画像信号が示す画像の明るさに関する情報に基づいて、前記光源が射出する光の強度の許容下限値に対応する第２基準値を設定する設定工程、を前記コンピュータに実行させ、前記制御工程は、前記出力値が前記第２基準値に満たない場合に、前記光源の光の射出を停止させることを特徴とする。
【手続補正８】
【補正対象書類名】明細書
【補正対象項目名】００１３
【補正方法】変更
【補正の内容】
【００１３】
請求項に記載の発明は、投影装置であって、画像を構成する光を射出する光源と、前記画像を示す画像信号に基づいて前記光源が射出する光の強度を制御する制御手段と、前記画像信号が示す画像の明るさに関する情報に基づいて、前記光源が射出する光の強度の許容上限値に対応する第１基準値、及び、前記光源が射出する光の強度の許容下限値に対応する第２基準値を設定する設定手段と、前記光源が射出する光の一部を受光し、当該受光した光量に対応する出力値を出力する受光手段と、を備え、前記制御手段は、前記出力値が、前記第１基準値を超える場合、又は、前記第２基準値に満たない場合に、前記光源の光の射出を停止させることを特徴とする。